(57)【特許請求の範囲】
【請求項１】
細長い長方形をした拭きタオルの表面と裏面のそれぞれにおいて、その長い辺と平行となった中央の位置には直線状に縦折り曲げ線を印刷し、その短い辺と平行となった中央の位置には直線状に中央折り曲げ線を印刷し、短い辺の両端と中央折り曲げ線のそれぞれの中間には短い辺と平行となるようにそれぞれ横折り曲げ線を直線状に印刷し、拭きタオルの表裏面をそれぞれ８つの区画に区分し、
拭きタオルの表面の二列四区画に区分された区画のうちで、長い辺の長さ方向に沿って区分された一列の四区画をイ、ロ、ハ、ニと、他の一列の四区画をホ、ヘ、ト、チ（イの区画とホの区画は隣接している）と仮定し、
拭きタオルの裏面の二列四区画に区分された区画のうちで、長い辺の長さ方向に沿って区分された一列の四区画をリ、ヌ、ル、ヲと、他の一列の四区画をワ、カ、ヨ、タ（リの区画とワの区画は隣接している）と仮定し、
イの区画の裏面にはワの区画を、ニの区画の裏面にはタの区画を、ホの区画の裏面にはリの区画を、チの区画の裏面にはヲの区画をそれぞれ対応させておき、
表面側の８つの区画の内の４つの区画には奇数の番号を割り振り、イの区画には(1)を、チの区画には(3)を、ヘの区画には(5)を、ハの区画には(7)の番号を印刷し、
裏面側の８つの区画の内の４つの区画には偶数の番号を割り振り、タの区画には(2)を、リの区画には(4)を、ルの区画には(6)を、カの区画には(8)の番号を印刷し、
それぞれの区画において各番号を印刷する位置は、番号(1)、(2)、(3)、(4)はそれぞれ拭きタオルの短い辺に接近した位置に遍位させ、番号(5)、(6)、(7)、(8)はそれぞれ拭きタオルの中央折り曲げ線に接近した位置に遍位させ、各区画の隅に位置するように番号(1)、(2)、(3)、(4)、(5)、(6)、(7)、(8)を印刷したことを特徴とする複数の拭き取り面を案内した拭きタオル。
【請求項２】
細長い長方形をした拭きタオルの表面と裏面のそれぞれにおいて、その長い辺と平行となった中央の位置には直線状に縦折り曲げ線を印刷し、その短い辺と平行となった中央の位置には直線状に中央折り曲げ線を印刷し、短い辺の両端と中央折り曲げ線のそれぞれの中間には短い辺と平行となるようにそれぞれ横折り曲げ線を直線状に印刷し、拭きタオルの表裏面をそれぞれ８つの区画に区分し、
拭きタオルの表面の二列四区画に区分された区画のうちで、長い辺の長さ方向に沿って区分された一列の四区画をイ、ロ、ハ、ニと、他の一列の四区画をホ、ヘ、ト、チ（イの区画とホの区画は隣接している）と仮定し、
拭きタオルの裏面の二列四区画に区分された区画のうちで、長い辺の長さ方向に沿って区分された一列の四区画をリ、ヌ、ル、ヲと、他の一列の四区画をワ、カ、ヨ、タ（リの区画とワの区画は隣接している）と仮定し、
イの区画の裏面にはワの区画を、ニの区画の裏面にはタの区画を、ホの区画の裏面にはリの区画を、チの区画の裏面にはヲの区画をそれぞれ対応させておき、
表面側の８つの区画の内の４つの区画には奇数の番号を割り振り、イの区画には(1)を、チの区画には(3)を、ヘの区画には(5)を、ハの区画には(7)の番号を印刷し、
裏面側の８つの区画の内の４つの区画には偶数の番号を割り振り、タの区画には(2)を、リの区画には(4)を、ルの区画には(6)を、カの区画には(8)の番号を印刷し、
それぞれの区画において各番号を印刷する位置は、番号(1)、(2)、(3)、(4)はそれぞれ拭きタオルの短い辺に接近した位置に遍位させ、番号(5)、(6)、(7)、(8)はそれぞれ拭きタオルの中央折り曲げ線に接近した位置に遍位させ、各区画の隅に位置するように番号(1)、(2)、(3)、(4)、(5)、(6)、(7)、(8)を印刷した拭きタオルを用いて、
最初に、中央折り曲げ線を中心として、リとヲの区画及びワとタの区画が密着するように半分に折り曲げ、
次に、縦折り曲げ線を中心として、ハとトの区画及びニとチの区画が密着するように四分の一に折り曲げ、
最後に、横折り曲げ線を中心として、ホとへの区画が密着するように八分の一に折り曲げて、拭きタオルを八分の一の面積に折り畳み、
八つに折り畳まれた拭きタオルの横折り曲げ線側の畳んだ辺を指で掴み、番号(1)で表示されたイの区画の面を最初の拭き取り面として清拭に使用し、
次に、イの区画の部分を引き下ろして番号(2)で表示されたタの区画を露出させ、タの区画の面を拭き取り面として清拭に使用し、
次に、タの区画の部分を引き下ろして番号(3)で表示されたチの区画を露出させ、チの区画の面を拭き取り面として清拭に使用し、
次に、チの区画の部分を引き下ろして番号(4)で表示されたリの区画を露出させ、リの区画の面を拭き取り面として清拭に使用し、
次に、リの区画の部分を引き下ろして番号(5)で表示されたヘの区画を露出させ、ヘの区画の面を拭き取り面として清拭に使用し、
番号(1)、(2)、(3)、(4)、(5)の順で重ね合わせられたイ、タ、チ、リの区画の面を露出させ終わったなら、密着したヌとルの区画の間に指を入れ、ルの区画より下の三層の区画を掴み、ヌの区画を内側から外側に反転させ、イ、タ、チ、リの区画を下側に移動させながらヌの区画を下面に引っ繰り返し、番号(6)で表示されたルの区画を上面に露出させ、ルの区画の面を拭き取り面として清拭に使用し、
次に、密着したトとハの区画の間に指を入れ、ハの区画より下の七層の区画を掴み、トの区画を内側から外側に反転させ、トの区画を下面に引っ繰り返し、番号(7)で表示されたハの区画を上面に露出させ、ハの区画の面を拭き取り面として清拭に使用し、
次に、密着したヨとカの区画の間に指を入れ、カの区画より下の七層の区画を掴み、ヨの区画を内側から外側に反転させ、ヨの区画を下面に引っ繰り返し、番号(8)で表示されたカの区画を上面に露出させ、カの区画の面を拭き取り面として清拭に使用し、
一枚の拭きタオルを８回に分散して拭き取りを行うことができることを特徴とする複数回の拭き取りができるタオルの使用方法。
【発明の詳細な説明】
【０００１】
【発明の属する技術分野】
本発明は、タオルに折り畳み手順を印刷して、一枚のタオルで清潔なタオル面を複数回露出させることができる複数の拭き取り面を案内した拭きタオルに関し、さらに、一枚のタオルで清潔な面を複数回使用して拭き取ることができる複数回の拭き取りができるタオルの使用方法に関するものである。
【０００２】
【従来の技術】
従来より、寝たきりの老人や病人の看護の一環には、タオルで身体を拭う清拭の作業があった。この作業は、ぬるま湯などに浸したタオルを絞り、タオルで身体の一部又は全部を拭うものである。そして、温水で湿らせたタオルで身体を拭った後で、乾いたタオルで水分を拭い取ることになる。健常者であっては、風呂に入ることで身体の汚れを落とすことができるが、老人や病人では自発的に入浴することができない。このため、介護人の助力により、老人や病人の身体を定期的に拭う必要があった。
【０００３】
人体の皮膚には老廃物が溜まるため、皮膚の生理機能を十分に保つために身体を常に清潔に維持する必要がある。皮膚を汚れたままにすると、感染したり悪臭の原因となるもので、老人や病人に不快感を与える。前述の清拭の作業は爽快感や清潔感を与えるものであり、同時に皮膚に刺激を与えて血行を良好にするもので、床ずれの防止も果たすことになる。こうして、清拭は、寝たきりの老人介護や病人介護において日常的に必要なものである。
【０００４】
この清拭の作業では、身体をタオルで拭くと、身体に接触したタオルの面が老廃物で汚れることになる。老廃物が付着したタオルの同じ面は汚れるため、再度同じ面で拭き取ることはできない。このため、一度身体を拭いたタオルは温水ですすぎ洗いをして、水分を絞ることで再度清拭に使用していた。このため、清拭の作業では、『タオルで身体を拭く』という動作と、『タオルを温水に浸して汚れを流す』という動作を交互にしなければならなかった。広い面積の身体全体を清拭するとなれば、この動作を繰り返すことになり、作業が面倒であると共に作業の効率化が望めないものであった。このため、一枚の新しいタオル若しくはゆすぎ洗いしたタオルを使用して、常に清潔な面で清拭することができるのであれば、老人介護や病人介護が円滑に行えることになる。このような実情から、清拭の作業に効率的な使用手順を案内したタオルやタオルの使用方法の出現が望まれていた。
【０００５】
【発明が解決しようとする課題】
本願の発明の第一は従来の欠点に鑑み、複数の拭き取り面を案内した拭きタオルを提供するものである。この拭きタオルでは、その両面に折り曲げ線を印刷して複数の区画に分割し、それぞれの区画には特定の手順で番号を印刷したものである。そして、折り曲げ線にそって拭きタオルを順次折り畳むと、複数の区画が上下に重なり、印刷した番号の順番に区画が畳み込まれる。この畳んだ拭きタオルを、印刷された区画毎の番号順に広げていくと、各番号における区画の清潔な面を順次露出させることができる。清拭の作業において、折り畳んだ拭きタオルの区画で身体を拭くとその区画の面が汚れるので、番号の順に拭きタオルの区画をめくることで清潔な新しい区画を露出させることができる。この拭きタオルでは最大８面の清潔な区画を順次表出させることができ、番号の順にめくることで手順を知ることができる。
【０００６】
また、本願の発明の第二は、一枚のタオルで複数回の清潔な拭き取り区画を露出させる拭きタオルの使用方法を提供するものである。この方法では、一枚のタオルを予め定められた手順で折り畳むと、複数回の新しい拭き取り面を露出させることができる。新しい拭きタオルや温水で濯いたタオルにより、複数回の清潔な面を露出させて拭き取りの作業を行うことができるので、清拭でタオルを交換したり濯ぎ直すことが無くなるので効率が良くなるものである。この方法では、一枚の拭きタオルで最大８回の清拭作業が可能となり、介護人への負担を軽減させることができる。
【０００７】
【課題を解決するための手段】
本発明は、長方形のタオルの表裏面において、長い辺の中央には縦折り曲げ線を印刷し、短い辺の中央には中央折り曲げ線を印刷し、短い辺の両端と中央折り曲げ線の中間には横折り曲げ線を印刷して８つの区画に区分し、それぞれの区分には１から８の番号を振り分け、表面の区分には奇数の番号を印刷し、裏面の区分には偶数の番号を印刷し、１と３の番号はタオルの表面の両端の区画に対称となるように振り、５と７の番号はタオルの表面の中央の区画に対称となるように振り、２と４の番号はタオルの裏面の両端の区画に対称となるように振り、６と８の番号はタオルの裏面の中央の区画に対称となるように振ったことを特徴とする複数の拭き取り面を案内した拭きタオルを提供するものである（請求項１記載の発明）。
【０００８】
また、本発明は、１、２、３、４の番号は、各区画の内でタオルの両端に接近した位置に遍位して印刷し、５、６、７、８の番号は、各区画の内でタオルの中心部に接近した位置に変位して印刷したことを特徴とする請求項１記載の複数の拭き取り面を案内した拭きタオルを提供するものである（請求項２記載の発明）。
【０００９】
さらに、本発明は、長方形のタオルを用い、その短い端同志が接近するように中央で折り畳み、次いで、長い端同志が接触するようにその中央で前回折り畳んだのとは直角の方向に折り畳み、さらに、その中央で前回折り畳んだのとは直角の方向に折り畳み、８分の１の面積となったタオルの最後に曲げられた辺の側を持ってその表面で拭き取り、タオルの四隅の端の区画を順次展開して新しい区画の表面を露出させて拭き取り、６回目以降はタオルを反転させることで次の区画を露出させて拭き取ることを特徴とする複数回の拭き取りができるタオルの使用方法を提供するものである（請求項３記載の発明）。
【００１０】
【発明の実施の形態】
以下、本発明の一実施の形態を図面により説明する。図１は本願の発明に関わる複数の拭き取り面を案内した拭きタオル１０を示す平面図であり、図１（ａ）はその表面を示し、図１（ｂ）はその裏面を示している。
【００１１】
この拭きタオル１０は、従来から市販されていて、一般の家庭で用いられている寸法の手拭きタオルであり、その幅に比べて長さが比較的長い長方形をしている。拭きタオル１０の縦横比は、例えば、１対８から１対１０となるような形状を利用するのが好ましい。拭きタオル１０は、その表裏面にそれぞれ折り畳む方向を示す折り曲げ線と、展開する順番を示した番号が印刷されていて、折り曲げ線と番号は洗濯などによってもはげ落ちない染料で印刷されている。また、折り曲げ線と番号は印刷によらず、異なった色の繊維を織り込むことにより表出させることであってもよい。
【００１２】
＜拭きタオル１０の表面＞
ここで、図１（ａ）は拭きタオル１０の表面の印刷状態を示したものである。平坦に延ばした拭きタオル１０の長い方の辺を縦方向、短い方の辺を横方向として説明する。拭きタオル１０の縦方向の中央には縦折り曲げ線１１が一直線に印刷され、拭きタオル１０の横方向の中央には中央折り曲げ線１２が印刷されている。そして、拭きタオル１０の横方向であって、中央折り曲げ線１２と図１（ａ）中の左端との中間には横折り曲げ線１３が印刷されていて、中央折り曲げ線１２と図１（ａ）中の右端との中間には横折り曲げ線１４が印刷されている。縦折り曲げ線１１、中央折り曲げ線１２、横折り曲げ線１３、１４により拭きタオル１０の表面は８つの区画に区分けされたことになる。この区画の内で、図１（ａ）で示した上側の一列の区画はイ、ロ、ハ、ニに区分され、下側の一列はホ、ヘ、ト、チに区分される。このイの区画には番号▲１▼２１が印刷され、チの区画には番号▲３▼２３が印刷され、ヘの区画には番号▲５▼２５が印刷され、ハの区画には番号▲７▼２７が印刷されている。すなわち、拭きタオル１０の表面の各区画には奇数の番号が印刷されたことになり、番号▲１▼２１と番号▲３▼２３は拭きタオル１０の外側の端辺に接近した位置に遍位して印刷され、番号▲５▼２５と番号▲７▼２７は中央折り曲げ線１２に接近した位置に遍位して印刷されている。従って、番号▲１▼２１と番号▲３▼２３は斜め反対側に、番号▲５▼２５と番号▲７▼２７は斜め反対側に位置させてある。
【００１３】
＜拭きタオル１０の裏面＞
次に、図１（ｂ）は拭きタオル１０の裏面の印刷状態を示したものである。この平面図では、図１（ａ）における縦折り曲げ線１１を回転の中心として反転させた状態を示したものである。
【００１４】
この拭きタオル１０の裏面の縦方向の中央には縦折り曲げ線１５が一直線に印刷され、拭きタオル１０の横方向の中央には中央折り曲げ線１６が印刷されている。そして、拭きタオル１０の横方向であって、中央折り曲げ線１６と図１（ｂ）中で左端との中間には横折り曲げ線１７が印刷されていて、中央折り曲げ線１６と図１（ｂ）中で右端と中央折り曲げ線１６の中間には横折り曲げ線１８が印刷されている。これら縦折り曲げ線１５、中央折り曲げ線１６、横折り曲げ線１７、１８により拭きタオル１０の裏面は８つの区画に区分されたことになる。この区画の内で、図１（ｂ）で示した上側の一列の区画はリ、ヌ、ル、ヲに区分され、下側の一列はワ、カ、ヨ、タに区分される。このリの区画には番号▲４▼２４が印刷され、ルの区画には番号▲６▼２６が印刷され、カの区画には番号▲８▼２８が印刷され、タの区画には番号▲２▼２２が印刷されている。こうして、拭きタオル１０の裏面の各区画には偶数の番号が印刷されたことになり、番号▲４▼２４と番号▲２▼２２は拭きタオル１０の外側の端辺に接近した位置に遍位して印刷され、番号▲６▼２６と番号▲８▼２８は中央折り曲げ線１６に接近した位置に遍位して印刷されている。従って、番号▲４▼２４と番号▲２▼２２は斜め反対側に、番号▲６▼２６と番号▲８▼２８は斜め反対側に位置させてある。
【００１５】
＜拭きタオル１０に印刷した番号の順序＞
図１（ａ）と図１（ｂ）における拭きタオル１０の表裏面での各印刷の相対的な関係を説明すると、縦折り曲げ線１１と縦折り曲げ線１５は反対側にあり、中央折り曲げ線１２と中央折り曲げ線１６は反対側にあり、横折り曲げ線１３と横折り曲げ線１７は反対側にあり、横折り曲げ線１４は横折り曲げ線１８の反対側にある。そして、番号▲１▼２１から番号▲８▼２８の８つの番号の印刷箇所は拭きタオル１０の表面と裏面で重複することが無く、一つの区画に一つの番号が印刷されたことになる。
【００１６】
こうして、拭きタオル１０の表面側には奇数の番号である▲１▼、▲３▼、▲５▼、▲７▼が印刷され、裏面には偶数の番号である▲２▼、▲４▼、▲６▼、▲８▼が印刷されたことになる。図１（ａ）で示される表面での番号の振り方の順序は、若い番号の▲１▼は拭きタオル１０の左端上側の区画イに位置し、次の番号である▲３▼は右端下側の区画タに位置し、▲１▼と▲３▼とは斜め反対側にある。次の番号の▲５▼は拭きタオル１０の中央より左側に少し遍位した下側の区画ヘに位置し、その次の番号の▲７▼は中央より右側に少し遍位した上側の区画ハに位置し、▲５▼と▲７▼とは斜め反対側にある。同様に、図１（ｂ）で示される裏面での番号の振り方の順序は、若い番号の▲２▼が右端下側の区画タに位置し、次の番号である▲４▼は左端上側の区画リに位置し、▲２▼と▲４▼とは斜め反対側にある。次の番号の▲６▼は拭きタオル１０の中央より右側に少し遍位した上側の区画ルに位置し、最後の番号の▲８▼は中央より左側に少し遍位した下側の区画カに位置し、▲６▼と▲８▼とは斜め反対側にある。
【００１７】
これらの番号の▲１▼から▲８▼の振り方の順序を総括すると、拭きタオル１０の一面に▲１▼の番号の位置を設定すると、次の▲２▼は縦方向に反対側の裏面に位置し、▲３▼は横方向に反対側の表面に位置し、▲４▼は縦方向に反対側の裏面に位置する。そして、▲５▼は▲４▼とは反対面の表面であるが、図１（ａ）におけるように横折り曲げ線１３を中心にして反対側に位置することになる。次の▲６▼は▲５▼とは中央折り曲げ線１６を中心にして反対側の表面に位置し、▲７▼は縦折り曲げ線１１を中心にして▲６▼と反対側の表面に位置し、▲８▼は中央折り曲げ線１６を中心として▲７▼と反対側の裏面に位置する。つまり、連番となった番号の▲１▼から▲８▼は、８つに区分された区画において、常に反対側の面に振られることになる。
【００１８】
＜拭きタオル１０の折り畳みの手順＞
次に、図１で示した本実施の形態で説明した拭きタオル１０を、図２により折り畳む手順について説明する。
【００１９】
＜折り畳み一回目＞
図２（ａ）は拭きタオル１０を折り畳む手順の最初の状態を示したものである。一回目の折り畳みでは、拭きタオル１０の裏面を上側に向けて置き、拭きタオル１０の中央横に印刷した中央折り曲げ線１６を境としてＡ方向に折り畳む。すると、拭きタオル１０は真ん中で二つに折り畳まれ、拭きタオル１０の裏面同士が密着させられて図２（ｂ）の状態となる。この図２（ｂ）の状態では、拭きタオル１０の表面が上側に配置され、チ、ト、ニ、ハの区画が露出される。
【００２０】
＜折り畳み二回目＞
図２（ｂ）で示した二つ折りの状態から二回目の折り畳みを行うには、図２（ｃ）で示すように縦折り曲げ線１１を境としてＢ方向に折り畳む。二回目の折り畳みでは、二つ折りした拭きタオル１０をその長さ方向に沿って更に半分に折り畳むことになる。すると、区画チは区画ニに、区画トは区画ハに密着し、図２（ｄ）で示すように裏面にある区画ホ、ヘが上側に露出することになる。図２（ｄ）では拭きタオル１０が４分の１に折り畳まれたことになる。
【００２１】
＜折り畳み三回目＞
図２（ｄ）で示した四つ折りの状態から三回目の折り畳みを行うには、図２（ｅ）で示すように横折り曲げ線１３を境としてＣ方向に折り畳む。この折り畳みでは、区画ホを区画へに密着するように折り畳み、区画イが上側になるようにする。すると、図２（ｆ）で示すように拭きタオル１０は八つに折り畳められたことになる。こうして、拭きタオル１０は８分の１に折り畳まれ、その上面には区画イが露出し、他の区画は全て８分の１の面積となった区画イの下面に折り畳まれたことになる。
【００２２】
図２（ｆ）のように折り畳められた拭きタオル１０により、老人や病人の身体を拭うことができる。この拭きタオル１０では各区画を展開することにより、新しい清潔な面を８回露出させることができ、８回の清拭を行うことができる。この清拭の作業における拭きタオル１０の展開の手順を説明する。
【００２３】
＜一回目の清拭＞
一回目の清拭では、図２（ｆ）と同じ状態の図３（ａ）で示すような八つに折り畳んだ拭きタオル１０により行う。この場合、図で示すように横折り曲げ線１３側を手（例えば右手）で掴み、番号▲１▼２１を目印として区画イの表面で身体を拭き取る。この清拭により、番号▲１▼２１を目印として区画イの表面が汚れることになる。
【００２４】
＜二回目の清拭＞
清拭によって汚れた区画イの部分を展開し、次の清潔な表面を露出させるには、図３（ｂ）のように番号▲１▼２１の区画イを左手の指でＤ方向に引き下ろす。すると、区画イの部分は引き下げられて、番号▲２▼２２が印刷された区画タが露出されることになる。この番号▲２▼２２を目印として区画タの表面で身体を拭き取ることになり、区画タの表面が汚れることになる。
【００２５】
＜三回目の清拭＞
汚れた区画タの部分を展開し、次の表面を露出させるには図３（ｃ）で示すように左手の指で番号▲２▼２２の区画タの部分をＥ方向に引き下げる。すると、その下面にある番号▲３▼２３を印刷した区画チの表面が露出されるので、番号▲３▼２３を目印としてこの清潔な区画チの面で三回目の清拭をすることができる。
【００２６】
＜四回目の清拭＞
さらに、四回目の清潔な拭き取り面を露出する場合には、図３（ｄ）で示すように区画チの部分を左指で摘まみ、Ｆ方向に引き下げる。すると、その下面にある番号▲４▼２４が印刷された区画リの表面が露出される。そして、番号▲４▼２４を目印として区画リの表面で清拭することができる。
【００２７】
＜五回目の清拭＞
次に、５回目の清拭を行うには、図（ｅ）で示すように区画リの部分を左指で摘まみ、Ｇ方向に引き下げる。区画リの部分が下げられると番号▲５▼２５を印刷した区画ヘの表面が露出される。この番号▲５▼２５を目印として区画ヘの表面で清拭することができる。
【００２８】
＜六回目の清拭＞
このように区画イ、タ、チ、リの部分を順次引き下げることで、拭きタオル１０の新しい清潔な面が表出できるが、これらの区画イ、タ、チ、リは拭きタオル１０の四隅の部分である。これらは四層に重ねられているため、めくる作業は簡単であり、番号▲１▼２１から番号▲５▼２５までの五回の清拭は容易である。次の、第六回目からの清拭では、拭きタオル１０の清潔な面を露出させるのは作業が少し煩雑となる。
【００２９】
六回目では、図３（ｆ）で示すように、番号▲５▼２５が印刷された区画ヘの部分と番号▲６▼２６を印刷した区画ルの部分を広げ、区画ルと区画ヌの間に右手の指を挿入し、右手の指で区画ルを掴んでおく。同時に、広げた区画ルと区画ヌの間に左手の指を差し込み、左手で区画ヌの部分と区画イ、タ、チ、リの部分を重ねたままで摘まみ、図３（ｆ）でＨ方向に反転させる。すなわち、袋状となった区画ルと区画ヌの空間を広げ、区画ヌを裏側に移動させる。すると、折り畳んだ拭きタオル１０の全体は袋状の区画ルと区画ヌで包まれることになり、図３（ｇ）で示すように番号▲６▼２６を印刷した区画ルが露出される。この番号▲６▼２６を目印として区画ルで六回目の清拭をすることができる。
【００３０】
＜七回目の清拭＞
図３（ｇ）の状態からさらに新しい面を露出するには、図３（ｈ）で示すように、区画ルの図中右縁をめくり、区画ハを少し露出させる。そして、右手の指で区画ハの面を押さえ、左手の指で区画ルと区画トの面を摘まみ、左手の指で区画ルの部分を図中でＩ方向に反転させる。すると、区画ルの部分は折り畳んだ拭きタオル１０の下面にひっくり返り、図３（ｉ）で示されるように、その下面にある区画ハが露出する。この区画ハには番号▲７▼２７が印刷されていて、番号▲７▼２７を目印にして区画ハにより七回目の清拭を行うことができる。
【００３１】
＜八回目の清拭＞
次いで、最後の払拭面である番号▲８▼２８の区画カを露出させるには、図３（ｊ）で示すように区画ハの図中右縁を持ち上げ、袋状となった区画カと区画ヨを広げる。この広げた空間に右手の指を差し込み、区画カの表面を押さえておく。同時に、区画ハと区画ヨを左手の指で摘まみ、図中Ｊ方向にこの部分を下方に反転させる。すると、袋状となった区画カと区画ヨが折り畳んだ拭きタオル１０全体を包むことになり、番号▲８▼２８を印刷した区画カが表面に露出することになる。このようにして、区画カを露出させ、番号▲８▼２８を目印にして八回目の清拭を行うことができる。このような手順により、一枚の拭きタオル１０を八層に折り畳んで、順番に清潔な面を露出させることができる。
【００３２】
なお、本発明では老人や病人の介護における身体の清拭について説明したが、清拭の作業に限らず、家具などの家財や自動車の表面を拭き取る作業にも応用することが可能である。
【００３３】
【発明の効果】
以上説明したように、本願の発明によれば、拭きタオルの表裏面に折り曲げ線を印刷し、折り曲げ線によって分割された区画には特定の手順による番号を印刷してある。この折り曲げ線に沿って拭きタオルを折り畳むことで八分の一に重ね合わせることができる。そして、上下に重なった複数の区画を印刷した番号の順番に展開していくことで、番号順に清潔な面の区画を順次露出させることができる。清拭の作業において、折り畳んだ拭きタオルの区画で身体を拭くとその区画の面が汚れるので、番号の順に拭きタオルの区画を展開することで清潔な新しい区画を露出させることができる。この拭きタオルでは、印刷された番号の順に展開することで最大８面の清潔な区画で清拭することができ、清拭の手順を番号で知ることができる。
【００３４】
また、一枚のタオルで最大八面の新しい拭き取り面を露出させることができ、清拭の作業でタオルを交換したり、タオルを濯ぎ直す手順が無くなるので効率が良くなる。このため、病人は老人を介護する人への負担を軽減させることができる（請求項１の発明）。
【００３５】
そして、本願の発明によれば、印刷された番号は分割された各区分の隅に位置して印刷されているため、清拭の作業において番号が清拭する隅の部分に表出する。このため、手で掴んだ部分と反対側に必ず番号が表出し、作業中において清拭した回数を目により確認することができる（請求項２の発明）。
【００３６】
さらに、本願の発明によれば、印刷していない無地の拭きタオルであっても、折り畳みの手順とその展開の手順を記憶しておけば、最大で八回の清潔な面を露出させて拭き取りの作業を行うことができる。このため、折り曲げ線と番号を印刷した拭きタオルで折り畳みと展開の手順を練習して記憶しておけば、通常のタオルを使用して同じような効果を得ることができる（請求項３の発明）。
【図面の簡単な説明】
【図１】本発明の複数の拭き取り面を案内した拭きタオル及び複数回の拭き取りができるタオルの使用方法における一実施の形態を示す、拭きタオルの表面と裏面を示す平面図である。
【図２】本発明の複数の拭き取り面を案内した拭きタオル及び複数回の拭き取りができるタオルの使用方法における一実施の形態で、拭きタオルの折り畳みの手順を示す説明図である。
【図３】本発明の複数の拭き取り面を案内した拭きタオル及び複数回の拭き取りができるタオルの使用方法における一実施の形態で、折り畳んだ拭きタオルを展開していく手順を示す説明図である。
１０  拭きタオル
１１  縦折り曲げ線
１２  中央折り曲げ線
１３  横折り曲げ線
１４  横折り曲げ線
１５  縦折り曲げ線
１６  中央折り曲げ線
１７  横折り曲げ線
１８  横折り曲げ線
２１  番号▲１▼
２２  番号▲２▼
２３  番号▲３▼
２４  番号▲４▼
２５  番号▲５▼
２６  番号▲６▼
２７  番号▲７▼
２８  番号▲８▼
【図１】
0003624313.tif 000002
0003624313.tif 000003
【図２】
0003624313.tif 000004
0003624313.tif 000005
0003624313.tif 000006
【図３】
0003624313.tif 000007
0003624313.tif 000008
0003624313.tif 000009
0003624313.tif 000010
0003624313.tif 000011
0003624313.tif 000012